(57)【要約】  本発明は老化された個体のＨＡＰＬＮ１蛋白質に係り、該ＨＡＰＬＮ１蛋白質は、老化時に発現量が減少し、投与時に、しわを含んだ皮膚老化を改善及び回復させる効果にすぐれるので、この発現差を利用し、皮膚老化を診断することができる皮膚老化測定用バイオマーカー組成物、そのキット、ＨＡＰＬＮ１蛋白質またはＨＡＰＬＮ１遺伝子の発現レベルを検出する段階を含む皮膚老化改善剤スクリーニング方法を提供することができる。併せて、ＨＡＰＬＮ１蛋白質、それをコーディングする遺伝子、及びＨＡＰＬＮ１蛋白質またはＨＡＰＬＮ１遺伝子の発現促進、またはその機能を活性化させる効能剤からなる群のうちから選択されたいずれか１以上を含む皮膚老化の予防用または改善用の薬学組成物、化粧料組成物または健康機能食品、及びしわ改善用化粧料組成物または健康機能食品を提供する。
2020514739.tif 000002
【特許請求の範囲】
【請求項１】
生物学的試料から、ＨＡＰＬＮ１蛋白質またはＨＡＰＬＮ１遺伝子を検出する製剤を含む皮膚老化測定用バイオマーカー組成物。
【請求項２】
前記製剤は、抗体、アンチセンスＲＮＡ、アプタマー及び化合物からなる群のうちから選択されたいずれか一つであることを特徴とする請求項１に記載の皮膚老化測定用バイオマーカー組成物。
【請求項３】
前記皮膚老化は、皮膚真皮層の細胞外基質低減によって発生したしわであることを特徴とする請求項１に記載の皮膚老化測定用バイオマーカー組成物。
【請求項４】
生物学的試料から、ＨＡＰＬＮ１蛋白質またはＨＡＰＬＮ１遺伝子を検出する製剤を含む皮膚老化測定用キット。
【請求項５】
前記製剤は、抗体、アンチセンスＲＮＡ、アプタマー及び化合物からなる群のうちから選択されたいずれか一つであることを特徴とする請求項４に記載の皮膚老化測定用キット。
【請求項６】
生物学的試料に、任意の化合物を処理する段階と、前記生物学的試料から、ＨＡＰＬＮ１蛋白質またはＨＡＰＬＮ１遺伝子の発現レベルを検出する段階と、前記発現レベルを、任意の化合物を処理していない正常対照群での同一の蛋白質または遺伝子の発現レベルと比較する段階と、を含む皮膚老化改善剤のスクリーニング方法。
【請求項７】
ＨＡＰＬＮ１蛋白質、それをコーディングする遺伝子、及びＨＡＰＬＮ１蛋白質またはＨＡＰＬＮ１遺伝子の発現促進、またはその機能を活性化させる効能剤からなる群のうちから選択されたいずれか１以上を有効成分として含むことを特徴とする皮膚老化の予防用または改善用の薬学組成物。
【請求項８】
前記薬学組成物は、ヒアルロン酸をさらに含むことを特徴とする請求項７に記載の皮膚老化の予防用または改善用の薬学組成物。
【請求項９】
ＨＡＰＬＮ１蛋白質、またはＨＡＰＬＮ１蛋白質の発現促進、またはその機能を活性化させる効能剤のうちいずれか一つを有効成分として含むことを特徴とする皮膚老化の予防用または改善用の化粧料組成物。
【請求項１０】
前記化粧料組成物は、ヒアルロン酸をさらに含むことを特徴とする請求項９に記載の皮膚老化の予防用または改善用の化粧料組成物。
【請求項１１】
ＨＡＰＬＮ１蛋白質、またはＨＡＰＬＮ１蛋白質の発現促進、またはその機能を活性化させる効能剤のうちいずれか一つを有効成分として含むことを特徴とするしわ改善用化粧料組成物。
【請求項１２】
ＨＡＰＬＮ１蛋白質、またはＨＡＰＬＮ１蛋白質の発現促進、またはその機能を活性化させる効能剤のうちいずれか一つを有効成分として含むことを特徴とする皮膚老化の予防用または改善用の健康機能食品。
【請求項１３】
前記健康機能食品は、ヒアルロン酸をさらに含むことを特徴とする請求項１２に記載の皮膚老化の予防用または改善用の健康機能食品。
【請求項１４】
ＨＡＰＬＮ１蛋白質、またはＨＡＰＬＮ１蛋白質の発現促進、またはその機能を活性化させる効能剤のうちいずれか一つを有効成分として含むことを特徴とするしわ改善用健康機能食品。
【発明の詳細な説明】
【技術分野】
【０００１】
本発明は、ヒアルロン酸とプロテオグリカンとの連結タンパク質１ （ＨＡＰＬＮ１：hyaluronan and proteoglycan link protein １）を利用した皮膚老化測定用バイオマーカー組成物と、皮膚老化の予防用または改善用の薬学組成物、化粧料組成物または健康機能食品に関することだ。
【背景技術】
【０００２】
皮膚老化による最も明らかな現象のうち一つは、真皮層の細胞外基質（extracellular matrix）の低減であり、それによってしわが発生する。真皮層の細胞外基質は、コラーゲン（collagen）、エラスチン（elastin）、糖蛋白質（glycoprotein）のような多様な蛋白質が主要成分として含まれている。それら蛋白質のうち９０％以上は、コラーゲンであり、そのうちでも、約９０％ほどがタイプ１コラーゲン（type １ collagen）である。老化により、真皮層の細胞外基質において、タイプ１コラーゲンの量が約７０％減少する現象が確認された。
【０００３】
ヒアルロン酸（hyaluronic acid）は、アミノ糖とウロン酸とからなる多糖類の一種であり、生体の全ての組織に分布し、体内総量の５０％ほどが皮膚に分布している。ヒアルロン酸は、最大１，０００倍質量の水と結合することができ、真皮組織の細胞外基質を充填する役割を行う。また、ヒアルロン酸は、さまざまな糖蛋白質とプロテオグリカンとの凝集（aggregate）を形成し、多くの成長因子（growth factor）を貯蔵したり保存したりする役割を行う。臨床研究結果によれば、ヒアルロン酸は、真皮線維芽細胞（dermal fibroblast）の増殖、及びコラーゲン生成、成長因子の分泌を増加させるが、加齢しながら、皮膚において、４０％以上低減すると知られている。
【０００４】
皮膚老化は、大きく見て、内因性皮膚老化（intrinsic aging）と外因性皮膚老化（extrinsic aging）との２種で分けられる。外因性皮膚老化は、紫外線、喫煙のように、主に外部環境的な要因によって引き起こされ、内因性皮膚老化は、加齢に伴う皮膚老化である。現在、外因性皮膚老化を防止するために、紫外線遮断機能を有した香粧品など多くの方法が存在するが、内因性皮膚老化を防止するための方法は、今のところない実情である。従って、内因性皮膚老化を予防したり、老化された皮膚を改善させるための努力を要する。
【先行技術文献】
【特許文献】
【０００５】
【特許文献１】米国特許出願第2014/0163118号
【発明の概要】
【発明が解決しようとする課題】
【０００６】
本発明の目的は、皮膚老化測定用バイオマーカー組成物を提供するところにある。
【０００７】
本発明の他の目的は、皮膚老化測定用キットを提供するところにある。
【０００８】
本発明のさらに他の目的は、皮膚老化改善剤のスクリーニング方法を提供するところにある。
【０００９】
本発明のさらに他の目的は、皮膚老化の予防用または改善用の薬学組成物を提供するところにある。
【００１０】
本発明のさらに他の目的は、皮膚老化の予防用または改善用の化粧料組成物、またはしわ改善用化粧料組成物を提供するところにある。
【００１１】
本発明のさらに他の目的は、皮膚老化の予防用または改善用の健康機能食品、またはしわ改善用健康機能食品を提供するところにある。
【課題を解決するための手段】
【００１２】
前記目的を達成するために、本発明は、生物学的試料から、ＨＡＰＬＮ１蛋白質またはＨＡＰＬＮ１遺伝子を検出する製剤を含む皮膚老化測定用バイオマーカー組成物を提供する。
【００１３】
また、本発明は、生物学的試料から、ＨＡＰＬＮ１蛋白質またはＨＡＰＬＮ１遺伝子を検出する製剤を含む皮膚老化測定用キットを提供する。
【００１４】
また、本発明は、生物学的試料に、任意の化合物を処理する段階と、前記生物学的試料から、ＨＡＰＬＮ１蛋白質またはＨＡＰＬＮ１遺伝子の発現レベルを検出する段階と、前記発現レベルを、任意の化合物を処理していない正常対照群での同一の蛋白質または遺伝子の発現レベルとを比較する段階と、を含む皮膚老化改善剤のスクリーニング方法を提供する。
【００１５】
また、本発明は、ＨＡＰＬＮ１蛋白質、それをコーディングする遺伝子、及びＨＡＰＬＮ１蛋白質またはＨＡＰＬＮ１遺伝子の発現促進またはその機能を活性化させる効能剤からなる群のうちから選択されたいずれか１以上を有効成分として含むことを特徴とする皮膚老化の予防用または改善用の薬学組成物を提供する。
【００１６】
また、本発明は、ＨＡＰＬＮ１蛋白質、またはＨＡＰＬＮ１蛋白質の発現促進、またはその機能を活性化させる効能剤のうちいずれか一つを有効成分として含むことを特徴とする皮膚老化の予防用または改善用の化粧料組成物、またはしわ改善用化粧料組成物を提供する。
【００１７】
また、本発明は、ＨＡＰＬＮ１蛋白質、またはＨＡＰＬＮ１蛋白質の発現促進、またはその機能を活性化させる効能剤のうちいずれか一つを有効成分として含むことを特徴とする皮膚老化の予防用または改善用の健康機能食品、またはしわ改善用健康機能食品を提供する。
【００１８】
前述の薬学組成物、化粧料組成物または健康機能食品は、ヒアルロン酸をさらに含んでもよい。
【発明の効果】
【００１９】
本発明によれば、ＨＡＰＬＮ１蛋白質は、老化個体で発現量が減少し、投与時、しわを含んだ皮膚老化を改善及び回復させる効果にすぐれるので、本発明は、ＨＡＰＬＮ１蛋白質またはＨＡＰＬＮ１遺伝子を検出する製剤を含む、皮膚老化を診断することができる皮膚老化測定用のバイオマーカー組成物、キット、ＨＡＰＬＮ１蛋白質またはＨＡＰＬＮ１遺伝子の発現レベルを検出する段階を含む皮膚老化予防方法または改善剤スクリーニング方法、皮膚老化の予防用または改善用の薬学組成物、化粧料組成物または健康機能食品、及びしわ改善用化粧料組成物または健康機能食品に有用に提供される。
【図面の簡単な説明】
【００２０】
【図１Ａ】老化マウス（Ｏ（old））と幼いマウス（Ｙ（young））との非同時性個体結合（heterochronic parabiosis）対におけるコラーゲの生成を確認した結果である。
【図１Ｂ】老化マウス（Ｏ（old））と幼いマウス（Ｙ（young））との非同時性個体結合（heterochronic parabiosis）対におけるコラーゲの生成を確認した結果である。
【図２Ａ】老化マウス（Ｏ（old））と幼いマウス（Ｙ（young））との非同時性個体結合（heterochronic parabiosis）対におけるヒアルロン酸（ＨＡ）のレベルを確認した結果である。
【図２Ｂ】老化マウス（Ｏ（old））と幼いマウス（Ｙ（young））との非同時性個体結合（heterochronic parabiosis）対におけるヒアルロン酸（ＨＡ）のレベルを確認した結果である。
【図３】皮膚老化と係わる内因性因子がＨＡＰＬＮ１であることを確認した結果である。
【図４Ａ】老化マウス皮膚と幼いマウス皮膚とのプロコラーゲンのｍＲＮＡ量及びその分布を比較した結果である。
【図４Ｂ】老化マウス皮膚と幼いマウス皮膚とのプロコラーゲンのｍＲＮＡ量及びその分布を比較した結果である。
【図５Ａ】老化マウス皮膚と幼いマウス皮膚とのヒアルロン酸濃度及びその分布を比較した結果である。
【図５Ｂ】老化マウス皮膚と幼いマウス皮膚とのヒアルロン酸濃度及びその分布を比較した結果である。
【図６Ａ】老化マウス皮膚と幼いマウス皮膚とのＨＡＰＬＮ１濃度及びその分布を比較した結果である。
【図６Ｂ】老化マウス皮膚と幼いマウス皮膚とのＨＡＰＬＮ１濃度及びその分布を比較した結果である。
【図７Ａ】老化マウスにおいて、ＨＡＰＬＮ１投与によるコラーゲン増加を確認した結果である。
【図７Ｂ】老化マウスにおいて、ＨＡＰＬＮ１投与によるコラーゲン増加を確認した結果である。
【図８Ａ】老化マウスにおいて、ＨＡＰＬＮ１投与によるヒアルロン酸増加を確認した結果である。
【図８Ｂ】老化マウスにおいて、ＨＡＰＬＮ１投与によるヒアルロン酸増加を確認した結果である。
【図９】ヒト正常皮膚線維芽細胞（ＮＨＤＦ）において、ＨＡＰＬＮ１処理によるＴＧＦ−β誘導コラーゲン増加を確認した結果である。
【図１０Ａ】ヒト正常皮膚線維芽細胞において、ＨＡＰＬＮ１処理によるコラーゲン合成信号伝達経路において、ＴＧＦ−β受容体ＩＩの蛋白質発現量増加を確認した結果である。
【図１０Ｂ】ヒト正常皮膚線維芽細胞において、ＨＡＰＬＮ１処理によるコラーゲン合成信号伝達経路において、ＴＧＦ−β受容体ＩＩの蛋白質発現量増加を確認した結果である。
【図１０Ｃ】ヒト正常皮膚線維芽細胞において、ＨＡＰＬＮ１処理によるコラーゲン合成信号伝達経路において、ＴＧＦ−β受容体ＩＩの蛋白質発現量増加を確認した結果である。
【図１１】ヒト正常皮膚線維芽細胞において、ＨＡＰＬＮ１処理によるＴＧＦ−β受容体ＩＩの安定性上昇を確認した結果である。
【図１２】ヒト正常皮膚線維芽細胞において、ＨＡＰＬＮ１処理によるＴＧＦ−β誘導ヒアルロン酸合成酵素（ＨＡＳ２：hyaluronic acid synthase ２）蛋白質発現量増加を確認した結果である。
【発明を実施するための形態】
【００２１】
本発明の発明者らは、老化マウスと幼いマウスとの蛋白質発現を比較した結果、老化マウスにおいて、ＨＡＰＬＮ１（hyaluronan and proteoglycan link protein １）の発現が低減されるということを見い出し、本発明の完成に至った。前記ＨＡＰＬＮ１は、ヒアルロン酸をプロテオグリカンに連結し、ヒアルロン酸を安定化させる蛋白質であり、ＨＡＰＬＮ１の皮膚老化改善効果は、現在報告されていない。
【００２２】
本発明は、生物学的試料から、ＨＡＰＬＮ１蛋白質またはＨＡＰＬＮ１遺伝子を検出する製剤を含む皮膚老化測定用バイオマーカー組成物を提供する。
【００２３】
前記ＨＡＰＬＮ１蛋白質は、（mouseＨＡＰＬＮ１accession：
ＮＰ＿０３８５２８．３、Ｇｅｎｅ ＩＤ：１２９５０；human ＨＡＰＬＮ１ accession：ＡＡＨ５７８０８．１、Ｇｅｎｅ ＩＤ：１４０４）である、それらに制限されるものではない。
【００２４】
前記製剤は、抗体、アンチセンスＲＮＡ（antisenseＲＮＡ）、アプタマー（aptamer）及び化合物からなる群のうちから選択されたいずれか一つであるが、それらに制限されるものではない。
【００２５】
前記皮膚老化は、皮膚真皮層の細胞外基質低減によって発生したしわでもある。
【００２６】
併せて、本発明は、生物学的試料から、ＨＡＰＬＮ１蛋白質またはＨＡＰＬＮ１遺伝子を検出する製剤を含む皮膚老化測定用キットを提供する。
【００２７】
前記製剤は、抗体、アンチセンスＲＮＡ、アプタマー及び化合物からなる群のうちから選択されたいずれか一つであるが、それらに制限されるものではない。
【００２８】
前記抗体は、多クローン性抗体（polyclonal antibody）または単一クローン抗体（monoclonal antibody）である。
【００２９】
前記多クローン性抗体は、当業者に知られた方法により、免疫原に、前記遺伝子によって発現された蛋白質またはその断片を、外部宿主に注射することにより、製造することができる。該外部宿主は、マウス、ラット、羊またはウサギのような哺乳動物を含む。該免疫原は、筋内、腹腔内または皮下への注射方法に注射され、一般的に抗原性を上昇させるための補助剤（adjuvant）と共に投与される。外部宿主から定期的に血清を採取し、向上した力価、及び抗原に対する特異性を示す血清を収去したり、そこから抗体を分離精製したりする。
【００３０】
前記単一クローン抗体は、当業者に知られた融合による不滅化された細胞株生成技術によっても製造される。例えば、前記遺伝子によって発現された蛋白質をマウスに免疫化させたり、ペプチドを合成したりし、牛血清アルブミンと結合させ、マウスに免疫化させる。マウスから分離された抗原生産Ｂリンパ球を、ヒトまたはマウスの骨髄腫（myeloma）と融合させ、不滅化されたハイブリドーマ（hybridoma）を生成し、前記ハイブリドーマ細胞をもって、間接的な酵素結合免疫吸着分析法（ＥＬＩＳＡ：enzyme-linked immunoabsorbent assays）を使用し、モノクノーラル抗体の生成いかんを確認し、陽性クローンを選んで培養した後、抗体を分離精製したり、ラットの腹腔に注入したりした後、腹水を採取することにより、単一クローン抗体を製造することができる。
【００３１】
前記単一クローン抗体は、一般的に、アルカリホスファターゼ（ＡＰ：alkaline phosphatase）またはホースラディッシュペルオキシダーゼ（ＨＲＰ：horseradish peroxidase）などの酵素が結合された二次抗体、及びそれらの基質を使用し、発色反応させることによって定量分析することもでき、または直接前記蛋白質に係わる単一クローン抗体に、ＡＰ酵素またはＨＲＰ酵素などが結合されたものを使用して定量分析することができる。
【００３２】
前記蛋白質と抗体との反応は、ウェスタンブロット（western blot）、免疫沈降法（ＩＰ：immunoprecipitation）、酵素結合免疫吸着分析法（ＥＬＩＳＡ）及び免疫染色法（ＩＨＣ：immunohistochemistry）などの蛋白質確認実験を介して確認することができるが、それらに制限されるものではない。
【００３３】
前記抗体を含むキットは、典型的に、凍結乾燥形態の抗体、バッファ、安定化剤、不活性蛋白質などを含み、前記抗体は、放射性核種（radionuclides）、蛍光源（fluorescors）、酵素（enzymes）などによっても標識化される。
【００３４】
また、本発明は、生物学的試料に、任意の化合物を処理する段階と、前記生物学的試料から、ＨＡＰＬＮ１蛋白質またはＨＡＰＬＮ１遺伝子の発現レベルを検出する段階と、前記発現レベルを、任意の化合物を処理していない正常対照群での同一の蛋白質または遺伝子の発現レベルとを比較する段階と、を含む皮膚老化改善剤のスクリーニング方法を提供する。
【００３５】
前記生物学的試料は、組織、細胞、全血、血清及び血漿からなる群のうちから選択されたいずれか一つ以上でもある。
【００３６】
併せて、本発明は、ＨＡＰＬＮ１蛋白質、それをコーディングする遺伝子、及びＨＡＰＬＮ１蛋白質またはＨＡＰＬＮ１遺伝子の発現促進、またはその機能を活性化させる効能剤からなる群のうちから選択されたいずれか１以上を有効成分として含むことを特徴とする皮膚老化の予防用または改善用の薬学組成物を提供する。
【００３７】
前記薬学組成物は、ヒアルロン酸（ＨＡ）をさらに含んでもよい。
【００３８】
前記薬学組成物は、一般的な方法により、ゲル剤、乳剤、注射剤、散剤、顆粒剤、エアゾール剤、ペースト剤、経皮吸収剤及びパッチ剤からなる群のうちから選択された１以上の剤形によっても提供されるが、それらに制限されるものではない。
【００３９】
本発明の他の具体例において、前記薬学組成物は、薬学組成物の製造に一般的に使用する適切な担体、賦形剤、崩壊剤、甘味剤、被覆剤、膨張剤、潤滑剤、滑沢剤、香味剤、抗酸化剤、緩衝液、静菌剤、希釈剤、分散剤、界面活性剤及び結合剤からなる群のうちから選択される１以上の添加剤を追加して含んでもよい。
【００４０】
具体的には、担体、賦形剤及び希釈剤は、ラクトース、デキストロース、スクロース、ソルビトール、マンニトール、キシリトール、エリトリトール、マルチトール、澱粉、アカシアゴム、アルジネート、ゼラチン、リン酸カルシウム、ケイ酸カルシウム、セルロース、メチルセルロース、微晶質セルロース、ポリビニルピロリドン、水、メチルヒドロキシベンゾエート、プロピルヒドロキシベンゾエート、タルク、ステアリン酸マグネシウム及び鉱物油を使用することができ、経口投与のための固形製剤には、錠剤、丸剤、散剤、顆粒剤、カプセル剤などが含まれ、そのような固形製剤は、前記組成物に、少なくとも１以上の賦形剤、例えば、澱粉、カルシウムカーボネート、スクロースまたはラクトース、ゼラチンなどを混ぜて調剤することができる。また、単純な賦形剤以外に、ステアリン酸マグネシウム、タルクのような潤滑剤も使用することができる。経口のための液状製剤としては、懸濁液剤、耐溶液剤、乳剤、シロップ剤などがあり、一般的に使用される単純希釈剤である水、リキッドパラフィン以外に、さまざまな賦形剤、例えば湿潤剤、甘味剤、芳香剤、保存剤などが含まれる。非経口投与のための製剤には、滅菌された水溶液、非水性溶剤、懸濁液剤、乳剤、凍結乾燥製剤、坐剤などが含まれる。非水性溶剤、懸濁液剤としては、プロピレングリコール、ポリエチレングリコール、オリーブオイルのような植物性油、エチルオレートのような注射可能なエステルなどが使用される。坐剤の基材としては、ウイテプゾール（Witepsol）、マクロゴール、ツイーン（Tween）６１、カカオ脂、ラウリンジ、ギリセロゼラテンなどが使用される。
【００４１】
前述のＨＡＰＬＮ１蛋白質及び効能剤の望ましい投与量は、対象体の状態及び体重、老化の種類及び程度、薬物形態、投与経路及び期間によっても異なり、当業者によって適切にも選択される。
【００４２】
本発明において、前記「対象体」は、ヒトを含む哺乳動物でもあるが、その例に限定されるものではない。
【００４３】
また、本発明は、ＨＡＰＬＮ１蛋白質、またはＨＡＰＬＮ１蛋白質の発現促進、またはその機能を活性化させる効能剤のうちいずれか一つを有効成分として含むことを特徴とする皮膚老化の予防用または改善用の化粧料組成物、またはしわ改善用化粧料組成物を提供する。
【００４４】
前記化粧料組成物は、ヒアルロン酸をさらに含んでもよい。
【００４５】
前記化粧料組成物は、有効成分であるＨＡＰＬＮ１蛋白質及び効能除以外に、安定化剤、溶解化剤、ビタミン、顔料及び香料のような一般的な補助剤、そして担体を含んでもよい。
【００４６】
前記化粧料組成物は、当業界で一般的に製造されるいかなる剤形にも製造され、例えば、溶液、懸濁液、乳濁液、ペースト、ゲル、クリーム、ローション、パウダー、オイル、粉末ファウンデーション、乳濁液ファウンデーション、ワックスファウンデーション及びスプレーなどにも剤形化されるが、それらに限定されるものではない。さらに詳細には、サンクリーム、柔軟化粧水、収斂化粧水、栄養化粧水、栄養クリーム、マッサージクリーム、エッセンス、アイクリーム、パック、スプレーまたはパウダーの剤形にも製造される。
【００４７】
前記剤形が、ペースト、クリームまたはゲルである場合には、担体成分として、動物性油、植物性油、ワックス、パラフィン、澱粉、トラカント、セルロース誘導体、ポリエチレングリコール、シリコン、ベントナイト、シリカ、タルクまたは酸化亜鉛などが利用される。
【００４８】
前記剤形が、パウダーまたはスプレーである場合には、担体成分として、ラクトース、タルク、シリカ、アルミニウムヒドロキシド、ケイ酸カルシウムまたはポリアミドパウダーが利用され、特に、スプレーである場合には、追加してクロロプルオロヒドロカーボン、プロパン／ブタンまたはジメチルエーテルのような推進体を含んでもよい。
【００４９】
前記剤形が溶液または乳濁液である場合には、担体成分として、溶媒、溶解化剤または乳濁化剤が利用され、例えば、水、エタノール、イソプロパノール、エチルカーボネート、酢酸エチル、ベンジルアルコール、ベンジルベンゾエート、プロピレングリコール、１，３−ブチルグリコールオイル、グリセロール脂肪族エステル、ポリエチレングリコールまたはソルビタンの脂肪酸エステルがある。
【００５０】
前記剤形が懸濁液である場合には、担体成分として、水、エタノールまたはプロピレングリコールのような液状の希釈剤、エトキシル化イソステアリルアルコール、ポリオキシエチレンソルビトールエステル及びポリオキシエチレンソルビタンエステルのような懸濁液剤、微晶質セルロース、アルミニウムメタヒドロキシド、ベントナイト、アガールまたはトラカントなどが利用される。
【００５１】
また、本発明は、ＨＡＰＬＮ１蛋白質、またはＨＡＰＬＮ１蛋白質の発現促進、またはその機能を活性化させる効能剤のうちいずれか一つを有効成分として含むことを特徴とする皮膚老化の予防用または改善用の健康機能食品、またはしわ改善用健康機能食品を提供する。
【００５２】
前記健康機能食品は、ヒアルロン酸をさらに含んでもよい。
【００５３】
前記健康機能食品は、粉末、顆粒、錠剤、カプセル、シロップまたは飲料の形態でも提供され、前記健康機能食品は、有効成分である本発明によるＨＡＰＬＮ１蛋白質及び効能剤以外に、他の食品または食品添加物と共に使用され、一般的な方法により、適切にも使用される。有効成分の混合量は、その使用目的、例えば、予防的、健康的または治療的な処置により、適切に決定される。
【００５４】
前記健康機能食品に含有されたＨＡＰＬＮ１蛋白質及び効能剤の有効用量は,前記薬学組成物の有効用量に準して使用することができるが、健康及び衛生を目的にするか、あるいは健康調節を目的にする長期間の摂取の場合には、前記範囲以下でもあり、有効成分は、安全性面において、何らの問題がないために、前記範囲以上の量でも使用されるということは、確実である。
【００５５】
前記健康機能食品の種類には、特別な制限がなく、例としては、肉類、ソーセージ、パン、チョコレート、キャンデー類、スナック類、菓子類、ピザ、ラーメン、その他麺類、ガム類、アイスクリーム類を含んだ酪農製品、各種スープ、飲料、茶、ドリンク剤、アルコール飲料及びビタミン複合剤などを挙げることができる。
【実施例】
【００５６】
以下、本発明理解の一助とするために、実施例を挙げて詳細に説明する。ただし、下記の実施例は、本発明の内容を例示するものであるのみ、本発明の範囲は、下記実施例に限定されるものではない。本発明の実施例は、当業界で当業者に、本発明についてさらに完全に説明するために提供されるものである。
【００５７】
＜実施例１＞皮膚老化内因性因子の探索
非同時性個体結合（heterochronic parabiosis）は、同種の老化マウスと若いマウスとの血管を連結し、血液を共有する実験法で、非同時性個体結合実験モデルを利用し、神経、心臓及び筋肉の老化を起こす生体内部因子を探索、究明するのに利用される。
【００５８】
従って、生体内部で皮膚老化と係わる因子の存在いかんを確認するために、韓国基礎科学支援研究院から得た２０ヵ月齢の老化Ｃ５７ＢＬ／６Ｊマウスと、中央実験動物から得た６週齢の幼いＣ５７ＢＬ／６Ｊマウスとに麻酔をかけた後、各マウスの皮膚及び腹腔筋肉を切開し、個体結合（parabiosis）した。幼いマウスの場合、右側の前足から後足までの皮膚を約５ｃｍほど切開した後、右側腹腔筋肉を１ｃｍほど切開し、老化マウスの場合、左側の前足から後足までの皮膚を５ｃｍほど切開した後、左側腹腔筋肉を１ｃｍほど切開した。切開された腹腔筋肉及び皮膚を互いに連結及び縫合して個体結合し、３週の間維持した後、安楽死させた後、各実験群マウスの血漿及び皮膚組織を採取した。眼窩採血で血液を全量取り、エチレンジアミン四酢酸（ＥＤＴＡ：ethylenediaminetetraacetic acid）コーティング採血管で３０分ほど培養した後、１０，０００ｘｇの速度で遠心分離して血漿を分離した。分離された血漿は、−７０℃で保管した。皮膚組織は、マウス除毛後、首頸部の皮膚（cervical skin）を１ｃｍ×１ｃｍサイズに採取した。
【００５９】
免疫蛍光法（immunofluorescence）のために、採取した皮膚組織を１０％ホルマリン（formalin）に固定させ、パラフィンセクション（paraffin section）を作製した。作製されたスライドを、パラフィン除去（deparaffinization）及び再水化（rehydration）させ、ゴート抗マウスプロコラーゲンタイプ１アルファ２ ＩｇＧ（goat anti-mouse pro-ＣＯＬ１Ａ２（collagen typeＩ α２） polyclonal ＩｇＧ、Santa cruz biotechnology）抗体、ドンキー抗ゴートＩｇＧ（Ｈ＋Ｌ）アレクサフルオール５９４（donkey anti-goat ＩｇＧ（Ｈ＋Ｌ） Alexa Fluor ５９４、Life technologies）抗体を利用して免疫蛍光染色を行った。
【００６０】
ｑＲＴ−ＰＣＲを行うために、分離された皮膚組織を、０．２５％トリプシン／ＥＤＴＡ（trypsin／ＥＤＴＡ）において、４℃で一晩培養した後、真皮層を分離し、トリゾール試薬（trizol reagent）を利用し、総ｍＲＮＡを抽出した。抽出されたｍＲＮＡを、ｃＤＮＡ合成キット（Life technologies）を利用し、ｃＤＮＡに合成した後、ｐｒｏＣＯＬ１Ａ１、ｐｒｏＣＯＬ１Ａ２、ｐｒｏＣＯＬ３Ａ１及びＧＡＰＤＨを、ｑＲＴ−ＰＣＲ法で定量した。
【００６１】
その結果、図１Ａ、図１Ｂ、図２Ａ及び図２Ｂのように、老化マウス（Ｏ（old））と若いマウス（Ｙ（young））との非同時性個体結合対中の老化個体（ＹＯ−Ｏ）の皮膚組織において、コラーゲン（collagen）（図１Ａ及び図１Ｂ）とヒアルロン酸（図２Ａ及び図２Ｂ）との生成が、老化マウスと老化マウスとの非同時性個体結合対中の老化個体（ＯＯ−Ｏ）より増加するということを確認した。
【００６２】
従って、生体内部に、皮膚老化と係わる内因性因子が存在するということを確認した。
【００６３】
併せて、各実験個体のマウスから血漿を分離し、プロテオーム分析（SomaScan proteomics、米国・SomaLogic社に依頼）を介し、内因性因子を究明した。その結果、図３のように、老化と関連性のある蛋白質がＨＡＰＬＮ１であるということを確認した。
【００６４】
＜実施例２＞皮膚老化状態におけるＨＡＰＬＮ１の量的減少確認
１．皮膚老化時におけるコラーゲン生成低減
Ｃ５７ＢＬ／６Ｊ雄２０ヵ月齢老化マウスと、６週齢幼いマウスとの首頸部部位の皮膚組織を、前記実施例１と同一方法で、１ｃｍ×１ｃｍサイズに採取し、その総ｍＲＮＡを抽出した。抽出されたｍＲＮＡを、ｃＤＮＡ合成キットを利用し、ｃＤＮＡに合成した後、プロコラーゲンタイプＩ（proＣＯＬ１Ａ１及びproＣＯＬＩＡ２）、並びにプロコラーゲンタイプＩＩＩ（proＣＯＬ３Ａ１）のｍＲＮＡ量をｑＲＴ−ＰＣＲ方法で定量した。
【００６５】
その結果、図４Ａのように、老化マウスにおいて、proＣＯＬ１Ａ１、proＣＯＬＩＡ２及びproＣＯＬ３Ａ１のｍＲＮＡレベルが、幼いマウス対比で、それぞれ１／４．３，１／４．２，１／５．６レベルに低下した。
【００６６】
また、前記実施例１と同一方法で、老化マウスと幼いマウスとの首頸部部位の皮膚組織を、パラフィンセクションＮい製造し、免疫蛍光法を遂行した。それを、共焦点顕微鏡で観察した結果、図４Ｂのように、老化マウス皮膚において、プロコラーゲンタイプＩの分布低下を確認した。
【００６７】
２．皮膚老化時におけるヒアルロン酸量の減少
Ｃ５７ＢＬ／６Ｊ雄２０ヵ月齢老化マウスと６週齢幼いマウスとの首頸部部位の皮膚組織を、前記実施例１と同一方法で、１ｃｍ×１ｃｍサイズに採取し、酵素免疫測定法（ＥＬＩＳＡ）を遂行した。まず、ブレード（blade）を利用して分離した皮膚組織から、皮下脂肪を除去した後、１Ｘプロテアーゼ抑制剤（protease inhibitor）を添加したリン酸緩衝食塩水（ＰＢＳ：phosphate buffer saline）溶液で均質化（homogenization）させた。ヒアルロン酸ＥＬＩＳＡキット（hyaluronic acid ＥＬＩＳＡ kit、ＣＵＳＡＢＩＯ）を利用し、製造社の指針に従ってヒアルロン酸を定量した。
【００６８】
その結果、図５Ａのようにに、老化マウスにおいて、ヒアルロン酸の濃度が、幼いマウス対比で１／４．２レベルに低下した。
【００６９】
また、老化マウスと幼いマウスとの皮膚組織切片に対し、前記実施例１と同一方法で免疫蛍光染色した。このとき、抗ヒアルロン酸抗体であるシープ抗ヒアルロン酸ポリクローナル抗体（sheep anti-hyaluronic acid polyclonal antibody、ａｂｃａｍ）及びドンキー抗シープＩｇＧＨ＆Ｌアレクサフルオール４８８（donkey anti-sheep ＩｇＧ Ｈ＆Ｌ Alexa Fluor ４８８、ａｂｃａｍ）を利用した。それを共焦点顕微鏡で観察した結果、図５Ｂのように、老化マウス皮膚において、ヒアルロン酸の分布低減を確認した。
【００７０】
３．皮膚老化時におけるＨＡＰＬＮ１の発現量減少
前記実施例２において、２のような方法で、Ｃ５７ＢＬ／６Ｊ雄２０ヵ月齢老化マウスと６週齢幼いマウスとの首頸部皮膚組織を取り、ＰＢＳ溶液で均質化させた後、マウスヒアルロン酸及びＨＡＰＬＮ１ ＥＬＩＳＡキットを利用し、ＨＡＰＬＮ１の濃度を測定した。
【００７１】
測定結果、図６Ａのように、老化マウスにおいて、ＨＡＰＬＮ１の濃度が、幼いマウス対比で、１／４．２レベルに低下した。
【００７２】
また、老化マウスと幼いマウスとの皮膚組織切片を、前記実施例１と同一方法で免疫蛍光染色した。このとき、ゴート抗ＨＡＰＬＮ１ポリクローナルＩｇＧ（goat anti−ＨＡＰＬＮ１ polyclonal ＩｇＧ、Santa cruz biotechnology）及びドンキー抗ゴートＩｇＧ（Ｈ＋Ｌ）アレクサフルオール４８８（donkey anti-goat ＩｇＧ（Ｈ＋Ｌ） Alexa Fluor ５９４、Life technologies）を利用した。
【００７３】
それを共焦点顕微鏡で観察した結果、図６Ｂのように、老化マウス皮膚において、ＨＡＰＬＮ１の分布が低減されたということを確認した。
【００７４】
＜実施例３＞ＨＡＰＬＮ１投与による皮膚老化改善効果の確認
組み換えマウスＨＡＰＬＮ１（recombinant mouse ＨＡＰＬＮ１、Cusabio biotech Co．から購入）をＰＢＳに溶かし、Ｃ５７ＢＬ／６Ｊ雄２０ヵ月齢老化マウスに、０．１ｍｇ／ｋｇの用量で、１日１回１４日間腹腔投与した。老化マウス及び幼いマウス（６週齢）に同量のＰＢＳを投与して対照群として比較した。
【００７５】
１．老化マウスでＨＡＰＬＮ１投与によるコラーゲン増加確認
投与終了後、前記実施例１と同一方法で、各実験群から皮膚組織を取り、真皮層を分離し、ＲＮＡを抽出した後、プロコラーゲンタイプＩ（proＣＯＬ１Ａ１及びproＣＯＬＩＡ２）並びにプロコラーゲンタイプＩＩＩ（proＣＯＬ３Ａ１）をｑＲＴ−ＰＣＲ方法で定量した。
【００７６】
その結果、図７Ａのように、ＨＡＰＬＮ１投与群において、proＣＯＬ１Ａ１、proＣＯＬＩＡ２及びproＣＯＬ３Ａ１のｍＲＮＡレベルが非投与群対比で、それぞれ２．６倍、２．５倍、２．８倍上昇し、幼いマウスに類似したレベルに回復したということを確認した。また、皮膚組織切片を、前記実施例２における１と同一方法で、抗プロコラーゲンタイプＩ抗体で染色し、共焦点顕微鏡で観察した結果、図７Ｂのように、ＨＡＰＬＮ１投与群において、プロコラーゲンタイプＩ分布レベルが、非投与群に比べ、幼いマウスに類似したレベルに上昇したということを確認した。
【００７７】
２．老化マウスにおいて、ＨＡＰＬＮ１投与によるヒアルロン酸増加確認
投与終了後、前記実施例２における２のような方法で、各実験群の首頸部皮膚組織を取り、ＰＢＳ溶液で均質化させた後、ヒアルロン酸ＥＬＩＳＡキット（hyaluronic acid ＥＬＩＳＡ kit、ＣＵＳＡＢＩＯ）を利用し、製造社の指針に従い、ヒアルロン酸を定量した。
【００７８】
その結果、図８Ａのように、ＨＡＰＬＮ１投与群において、ヒアルロン酸レベルが非投与群対比で、１．５ほど上昇し、幼いマウスに類似したレベルに回復したということを確認した。
【００７９】
また、皮膚組織切片に対し、前記実施例２中２と同一方法で、ヒアルロン酸を免疫蛍光染色し、共焦点顕微鏡で観察した結果、図８Ｂのように、ＨＡＰＬＮ１投与群において、ヒアルロン酸分布レベルが非投与群に比べ、幼いマウスに類似したレベルに上昇したということを確認した。
【００８０】
＜実施例４＞ＨＡＰＬＮ１処理によるＴＧＦ−β１受容体ＩＩ、ＴＧＦ−β１誘導コラーゲン生成及びヒアルロン酸合成酵素（ＨＡＳ２）増加の確認
１．ＮＨＤＦ細胞において、ＨＡＰＬＮ１処理によるＴＧＦ−β１誘導コラーゲン生成増加の確認
正常ヒト皮膚線維芽細胞（ＮＨＤＦ；normal human dermal fibroblasts）細胞株において、ＨＡＰＬＮ１がＴＧＦ−β１誘導proＣＯＬ１α２生成に影響を与える否かということを確認するために、ウェスタンブロット法を利用して測定した。ＴＧＦ−βは、コラーゲン生成を誘導する因子であり、ＮＨＤＦ細胞株に、各濃度別（０，２５，５０，１００ｎｇ／ｍｌ）に、組み換えヒトＨＡＰＬＮ１（ｒｈＨＡＰＬＮ１）を処理し、３０分後、１ｎｇ／ｍｌ組み換えヒトＴＧＦ−β１を２４時間処理した。
【００８１】
その結果、図９のように、ＴＧＦ−β１誘導proＣＯＬ１α２生成が、ＨＡＰＬＮ１処理によって増加するということを確認した。
【００８２】
２．ＮＨＤＦ細胞において、ＨＡＰＬＮ１処理によるＴＧＦ−β受容体ＩＩ増加の確認
ＨＡＰＬＮ１が、ＴＧＦ−βの信号伝逹に関与する否かということを確認するために、ＮＨＤＦ細胞株に、各濃度別（０，２５，５０，１００ｎｇ／ｍｌ）に、組み換えヒトＨＡＰＬＮ１（ｒｈＨＡＰＬＮ１）を処理し、２４時間後、ＴＧＦ−β受容体の蛋白質発現量を、ウェスタンブロット法を利用して測定した。
【００８３】
その結果、図１０Ａのように、２つの受容体中において、ＴＧＦ−β受容体ＩＩの蛋白質発現量が、ＨＡＰＬＮ１処理によって濃度依存的に増加するということを確認した。同じ実験条件において、ＴＧＦ−β受容体のｍＲＮＡ発現量を、ｑＲＴ−ＰＣＲを介して確認した結果、図１０Ｂ及び図１０Ｃのように、ＨＡＰＬＮ１処理による変化がないということを確認した。
【００８４】
従って、ＨＡＰＬＮ１が、転写的調節ではない安定性調節を介して、ＴＧＦ−β受容体ＩＩの量を増加させたか否かということを確認するために、蛋白質合成抑制剤であるシクロへキシミド（cycloheximide）を１０μＭの濃度で１時間先処理し、１００ｎｇ／ｍｌ ｒｈＨＡＰＬＮ１を６時間または２４時間処理した後、ＴＧＦ−β受容体ＩＩの蛋白質発現程度をウェスタンブロット法を利用して確認した。
【００８５】
その結果、図１１のように、シクロヘキシミド存在下においても、ｒｈＨＡＰＬＮ１処理がＴＧＦ−β受容体ＩＩの量を増加させるということを確認した。従って、ＨＡＰＬＮ１は、ＴＧＦ−β受容体ＩＩの安定性を上昇させると見ることができる。
【００８６】
３．ＮＨＤＦ細胞において、ＨＡＰＬＮ１処理によるＴＧＦ−β１誘導ヒアルロン酸生成酵素（ＨＡＳ２）発現増加の確認
真皮線維芽細胞においては、ヒアルロン酸生成酵素３種（ＨＡＳ１、ＨＡＳ２及びＨＡＳ３）のうち、主にＨＡＳ２が存在している。ＮＨＤＦ細胞株において、ＨＡＰＬＮ１が、ＴＧＦ−β１誘導ＨＡＳ２発現に影響を与えるか否かということを確認するために、ＮＨＤＦ細胞株に、各濃度別（０，２５，５０，１００ｎｇ／ｍＬ）に、組み換えヒトＨＡＰＬＮ１（ｒｈＨＡＰＬＮ１）を処理し、３０分後、１ｎｇ／ｍＬの組み換えヒトＴＧＦ−β１を２４時間処理した後、ウェスタンブロット法を利用し、ＨＡＳ２の蛋白質発現量を確認した。
【００８７】
その結果、図１２のように、ＴＧＦ−β１誘導ＨＡＳ２発現が、ＨＡＰＬＮ１処理によって増大するということを確認した。
【００８８】
以上、本発明の特定部分を詳細に記述したが、当業界の当業者において、そのような具体的技術は、単に望ましい実施例であるのみ、それにより、本発明の範囲が制限されるものではないという点は、明白であろう。従って、本発明の実質的な範囲は、特許請求の範囲と、それらの等価物とによって定義されるものである。
【図１Ａ】
2020514739.tif 000003
【図１Ｂ】
2020514739.tif 000004
【図２Ａ】
2020514739.tif 000005
【図２Ｂ】
2020514739.tif 000006
【図３】
2020514739.tif 000007
【図４Ａ】
2020514739.tif 000008
【図４Ｂ】
2020514739.tif 000009
【図５Ａ】
2020514739.tif 000010
【図５Ｂ】
2020514739.tif 000011
【図６Ａ】
2020514739.tif 000012
【図６Ｂ】
2020514739.tif 000013
【図７Ａ】
2020514739.tif 000014
【図７Ｂ】
2020514739.tif 000015
【図８Ａ】
2020514739.tif 000016
【図８Ｂ】
2020514739.tif 000017
【図９】
2020514739.tif 000018
【図１０Ａ】
2020514739.tif 000019
【図１０Ｂ】
2020514739.tif 000020
【図１０Ｃ】
2020514739.tif 000021
【図１１】
2020514739.tif 000022
【図１２】
2020514739.tif 000023
【国際調査報告】
2020514739.tif 000024
2020514739.tif 000025
2020514739.tif 000026
2020514739.tif 000027